(57)【要約】【課題】シート反転装置に設けられた弾性ゲート部材の劣化や組み立て誤差等によって生じる弾性ゲート部材とシート反転搬送路壁との隙間の発生を防ぎ、シートの引っ掛かりを防止するシート反転装置及びこれを用いた画像形成装置を提供する。【解決手段】シートが搬入される搬入路１ａと、反転されたシートが搬出される搬出路１ｃとが反転路１ｂを介して略Ｙ字状のシート反転搬送路１を構成するシート反転装置であって、搬入路１ａから反転路１ｂへのシート搬送を許容する一方、反転路１ｂから搬入路１ａへのシート搬送を禁止し且つ反転路１ｂから搬出路１ｃへのシート搬送を許容する弾性ゲート部材２と、前記弾性ゲート部材２を移動自在に支持する可動支持部材３とを備える。また、このシート反転装置を用いた画像形成装置をも対象とする。【選択図】　図１
2004107086.tif 000002
【特許請求の範囲】
【請求項１】
シートが搬入される搬入路と、反転されたシートが搬出される搬出路とが反転路を介して略Ｙ字状のシート反転搬送路を構成するシート反転装置であって、
搬入路から反転路へのシート搬送を許容する一方、反転路から搬入路へのシート搬送を禁止し且つ反転路から搬出路へのシート搬送を許容する弾性ゲート部材と、
前記弾性ゲート部材を移動自在に支持する可動支持部材とを備えることを特徴とするシート反転装置。
【請求項２】
請求項１記載のシート反転装置において、
前記可動支持部材は、弾性ゲート部材が対向するシート反転搬送路壁に当接するように付勢せしめられる付勢手段を備えていることを特徴とするシート反転装置。
【請求項３】
請求項１記載のシート反転装置において、
前記可動支持部材は、弾性ゲート部材が位置規制せしめられる突起部材を備えていることを特徴とするシート反転装置。
【請求項４】
請求項１記載のシート反転装置において、
可動支持部材を有するユニットは、弾性ゲート部材が当接するシート反転搬送路壁を有するユニットに対して開閉可能であることを特徴とするシート反転装置。
【請求項５】
請求項１乃至４いずれかに記載のシート反転装置を備えたことを特徴とする画像形成装置。
【発明の詳細な説明】
【０００１】
【発明の属する技術分野】
本発明は、シート反転装置に係り、特に、シート反転搬送路に設けられる弾性ゲート部材を適正な位置に保つことができるようにしたシート反転装置及びこれを用いた画像形成装置の改良に関する。
【０００２】
【従来の技術】
従来、例えば画像形成装置においては、シートの画像形成面を反転して搬送するシート反転装置が内蔵されている。このシート反転装置は、画像が形成されたシートの画像形成面を反転させることにより排出トレイ等に排出するものや、また、画像形成面と反対側の面に画像を形成する両面コピー等を行うために、画像が形成されたシートを再度、作像モジュールに供給できるようになっているものもある。
上記シート反転装置として、シート反転装置内に設けられたシート戻り禁止手段に弾性部材を取り付け、一方向のみにシートが搬送されるように規制し、シート戻りを抑制する提案がある（例えば、特許文献１参照。）。
【０００３】
【特許文献１】
特開２００１−２５３６１９号公報（第４−１０頁、図１）
【０００４】
【発明が解決しようとする課題】
しかしながら、上記シート反転装置において、弾性部材は、対向するシート搬送路壁に当接することが重要であるが、弾性部材の劣化や組み付け誤差等によって弾性部材の先端位置がずれ、弾性部材とシート搬送路壁の間に隙間が生じる場合がある。
この場合、反転されたシートがこの隙間に引っ掛ることによりシート詰まりが生じ、更に、シート戻り禁止手段が開閉可能なユニットに設けられているときでは、弾性部材の先端位置が一定に定まり難く、シート搬送路壁に適正に当接しない不具合が発生しやすい。
【０００５】
本発明は、以上の技術的課題を解決するためになされたものであって、弾性部材の先端位置を一定に保つ可動支持部材を設けたシート反転装置及びこれを用いた画像形成装置を提供するものである。
【０００６】
【課題を解決するための手段】
すなわち、本発明は、図１に示すように、シートが搬入される搬入路１ａと、反転されたシートが搬出される搬出路１ｃとが反転路１ｂを介して略Ｙ字状のシート反転搬送路１を構成するシート反転装置であって、搬入路１ａから反転路１ｂへのシート搬送を許容する一方、反転路１ｂから搬入路１ａへのシート搬送を禁止し且つ反転路１ｂから搬出路１ｃへのシート搬送を許容する弾性ゲート部材２と、前記弾性ゲート部材２を移動自在に支持する可動支持部材３とを備えることを特徴とするものである。
【０００７】
このような技術的手段において、本件のシート反転装置は、シート搬送の過程でシートを反転させる必要のある箇所であればどのような箇所に設けてもよい。また、シート反転搬送路１は、シートの搬入路１ａとシートの搬出路１ｃとを、シートを反転させるための反転路１ｂを介して連通接続されていればよいので、シート反転搬送路１のレイアウトは各種考えられるが、反転路１ｂを有する略Ｙ字状部分が存在していることから、略Ｙ字状であればよい。
更に、シートの搬入路１ａは、反転路１ｂに対してシートの搬入側に延びるものであればよく、一方、シートの搬出路１ｃは、反転路１ｂに対してシートの搬出側に延びるものであればよい。また搬入路１ａ、搬出路１ｃは夫々独立して設けられている必要はなく、途中から分岐路や合流路等があってもよい。
【０００８】
また、シート反転搬送路１に設けられる各搬送部材についてはロール対、ベルトなどシートを搬送できる機構を具備していれば適宜選定して差し支えない。
更に、弾性ゲート部材２は、移動自在に弾性ゲート部材２を支持する可動支持部材３によって、対向するシート反転搬送路壁１ｄに当接する状態を保つ。この為、弾性ゲート部材２の劣化や、組み立て誤差等によって生じる弾性ゲート部材２とシート反転搬送路壁１ｄとの隙間の発生を無くし、反転されたシートがこの隙間に引っ掛ることを防止することができる。
ここで、弾性ゲート部材２の材質は、シート反転搬送路壁１ｄに当接する際に弾性変形状態になるものであれば適宜選定して差し支えない。
また、弾性ゲート部材２を移動自在に支持する可動支持部材３は、弾性ゲート部材２を任意の位置に移動させるものであれば差し支えなく、例えば、ネジ止め等で予め可動支持部材３の位置を定めることにより、弾性ゲート部材２をシート反転搬送路壁１ｄに対して適正に当接させる構成が挙げられる。
【０００９】
また、可動支持部材３の可動と位置規制を容易に行うという観点からすれば、可動支持部材３は、弾性ゲート部材２が対向するシート反転搬送路壁１ｄに当接するように付勢せしめられる付勢手段４を備えていることが好ましい。
この場合、付勢手段４の構成として、例えば回動可能にした可動支持部材３をスプリング等により付勢する構成が挙げられる。この構成により、可動支持部材３の位置が組み付け誤差等によりずれても、弾性ゲート部材２は、シート反転搬送路壁１ｄに対して適正に当接する状態となる。
なお、この場合の付勢手段４であるスプリングのバネ係数は、弾性ゲート部材２が対向するシート反転搬送路壁１ｄに当接するように設定されている。
【００１０】
更に、弾性ゲート部材２及び可動支持部材３の位置規制を確実に行うという観点からすれば、例えば、可動支持部材３は、弾性ゲート部材２が当接するシート反転搬送路壁１ｄを有するユニットに対して突き当たる突起部材５を備えていることが好ましい。
この場合、可動支持部材３の位置は、突起部材５がシート反転搬送路壁１ｄを有するユニット内の部材に突き当たることにより、シート反転搬送路壁１ｄに対して一定になるとともに、弾性ゲート部材２の位置もシート反転搬送路壁１ｄに対して一定になる。
なお、この構成はユニットを開閉する箇所において有効だが、シート反転装置に限らず、また、ユニットを開閉しない箇所でも部品の組み付け誤差等を修正するために有効な構成である。
【００１１】
また、シート詰まりに対して容易に対応できるという観点からすれば、例えば、可動支持部材３を有するユニットは、弾性ゲート部材２が当接するシート反転搬送路壁１ｄを有するユニットに対して開閉可能であることが好ましい。
この場合、シート詰まり時に容易に対応できる他、可動支持部材３等のユニット内部の部品交換時において作業性が向上する。
なお、本発明は、上述したシート反転装置に限られるものではなく、このシート反転装置を用いた複写機やプリンタ等の画像形成装置をも対象とする。
【００１２】
【発明の実施の形態】
以下、添付図面に示す実施の形態に基づいてこの発明を詳細に説明する。
◎実施の形態１
図２は本発明が適用された画像形成装置の実施の形態１を示す説明図である。本実施の形態において、画像形成装置２０は、装置本体３０の上部に原稿を読み取るための画像読み取りユニット３１を配設すると共に、その上方には画像読み取りユニット３１に原稿を送るための原稿送り装置３２を配設し、また、装置本体３０の側部には排出されたシートを積載する排出トレイ３８を配設する一方、装置本体３０の内部に作像モジュール３３を配設し、この作像モジュール３３の下方には、多段のシート供給トレイ４１〜４４を配設したものである。
【００１３】
本実施の形態で用いられる作像モジュール３３は、例えば電子写真方式を採用したものであって、各色成分トナー像を形成担持する感光体ドラム３４を配置し、この感光体ドラム３４上の各色成分トナー像を中間転写ベルト３５に順次一次転写させ、例えば二次転写ロールからなる二次転写装置３６にて中間転写ベルト３５上の多重色成分トナー像を記録材に二次転写させ、定着装置３７に導くようにしたものである。
【００１４】
ここで、感光体ドラム３４の周囲には、感光体ドラム３４を帯電する帯電器３４１、感光体ドラム３４上に静電潜像を書き込むレーザ走査装置などの露光装置３４２、各色成分トナーが収容されて感光体ドラム３４上の静電潜像を可視像化する現像装置３４３、感光体ドラム３４上の各色成分トナー像を中間転写ベルト３５上に転写せしめる一次転写装置３４４及び感光体ドラム３４上の残留トナーを清掃するクリーナ装置３４５などの電子写真用デバイスが順次配設されている。
また、中間転写ベルト３５は、複数の張架ロールに張架されて循環搬送されるものであり、前記二次転写装置３６が一つの張架ロールをバックアップロールとして対向配置されている。なお、符号３５１は、中間転写ベルト３５を清掃するクリーナである。
【００１５】
また、本実施の形態において、シート供給トレイ４１〜４４からのシート搬送路５０は、装置本体３０における排出トレイ３８の反対側の側面から上方に向かい、作像モジュール３３の二次転写部位を経てシート排出側にある排出トレイ３８へ向かうシート主搬送路５１と、このシート主搬送路５１のシート排出側に略Ｙ字状に設けられ、記録材の表裏を反転させて搬送するシート反転搬送路５２と、このシート反転搬送路５２の一部に連通接続され、表裏を反転させたシートを再び作像モジュール３３前のシート主搬送路５１に戻すシート戻し搬送路５３とを備えたものである。
更に、シート主搬送路５１における二次転写部位の上流側には、シートを位置決めした後に搬送するレジストロール５４が、二次転写部位の下流側には定着装置３７へ搬送する搬送ベルト５５が設けられ、シート搬送路５０には適宜数の搬送ロール５６が設けられている。
【００１６】
また、本実施の形態では、画像形成装置２０のシート搬送路５０のうち、シート反転搬送路５２にはシート反転装置１００が設けられている。
本実施の形態において、シート反転装置１００は、図３に示すように、略Ｙ字状のシート反転搬送路５２を有し、このシート反転搬送路５２における夫々三箇所の搬送路に搬送部材５６０（５６１〜５６３）を配設する一方、シート反転搬送路５２の反転分岐部にはシート搬送を許容又は禁止する弾性ゲート部材８０を設け、この弾性ゲート部材８０を移動自在に支持する可動支持部材７０を設置したものである。
更に、シート反転搬送路５２にはシート搬送方向を切り換えるための切り換えゲート６０，６１が配設されている。
【００１７】
本実施の形態において、シート反転搬送路５２は、例えば、シート反転装置１００に対して上流側に位置する上流側搬送路５１１（シート主搬送路５１の一部）と、この途中から分岐する上流側分岐搬送路（搬入路）５２１とを有する一方、シート反転装置１００に対して下流側に位置する下流側搬送路５１２（シート主搬送路５１の一部）と、この途中に合流する下流側分岐搬送路（搬出路）５２２とを有し、反転路５２３を介して略Ｙ字状に連通接続したものである。
更に、本例では、上流側搬送路５１１と下流側搬送路５１２とは直通搬送路５１３（シート主搬送路５１の一部）を介して接続されている。
なお、反転路５２３の下流に位置する符号５３は、シートを再び作像モジュール３３前のシート主搬送路５１（図２参照）に戻すシート戻し搬送路である。
【００１８】
また、本実施の形態に係る搬送部材５６０は、例えば、上流側搬送路５１１に搬入ロール５６１（搬送ロール５６の一つ）を有する一方、下流側搬送路５１２に搬出ロール５６２（搬送ロール５６の一つ）を設け、更に、反転路５２３には二組の反転ロール５６３，５６４（搬送ロール５６の一つ）とで構成されたものである。
ここで、本実施の形態では、搬入ロール５６１と搬出ロール５６２は、駆動ロール及びこれに圧接する従動ロールからなり、図示外の駆動モータからの駆動力をもらって一定方向に回転するようになっている。
また、反転路５２３の上流側に位置する第一の反転ロール５６３は、上記ロールとは異なり、正逆回転可能に駆動される駆動ロール及びこれに圧接する従動ロールから構成され、図示外の駆動モータからの駆動力をもらって正逆回転可能に回転するようになっている。
更に、反転路５２３の下流側に位置する第二の反転ロール５６４は、上記第一の反転ロール５６３と同様な構成となっている。
なお、本実施の形態では、ロール機構で構成されているが、ベルト機構等の搬送機構を適宜選定して差し支えない。
【００１９】
また、本実施の形態において、シート反転装置１００には、上流側分岐搬送路５２１と下流側分岐搬送路５２２との連結部近傍において、上流側分岐搬送路５２１から反転路５２３へのシート搬送を許容する一方、反転路５２３から上流側分岐搬送路５２１へのシート搬送を禁止し且つ反転路５２３から下流側分岐搬送路５２２へのシート搬送を許容する弾性ゲート部材８０と、この弾性ゲート部材８０を移動自在に支持する可動支持部材７０とが配設されている。
【００２０】
本実施の形態において、可動支持部材７０は、例えば図３及び図４に示すように、第一の反転ロール５６３の軸方向に伸び且つ反転路５２３の幅と略同じ長さである支持板７１を有し、この支持板７１の一端である基端部７１ａに回動部７２を設けることにより、回動部７２を中心として支持板７１を回動可能に軸支するとともに、回動部７２にバネ７３を設けることにより、前記支持板７１を時計回り方向に付勢するようになっている（図３の矢印の方向）。
更に、本例では、上記支持板７１の自由端部７１ｂには、上流側分岐搬送路５２１の一部に突き当たる突起部材７４が設けられている。このため、突起部材７４が上流側分岐搬送路５２１の一部に突き当たることにより、突起部材７４とともに支持板７１の位置は上流側分岐搬送路５２１に対して一定に保たれる。
【００２１】
また、本実施の形態における弾性ゲート部材８０は、例えば、上記支持板７１の長手方向と略同程度の長さに設定されたシート状の弾性部材８１を有し、この弾性部材８１を支持板７１の長手方向に沿って例えば接着により取り付ける一方、支持板７１の自由端部７１ｂからはみ出した弾性部材８１の弾性当接部８１ａが対向する反転路壁５２３ａに当接するように、前記弾性部材８１の自由長を設定したものである。
これにより弾性ゲート部材８０は、上流側分岐搬送路５２１から反転路５２３に向かうシートの移動を弾性変形にて許容する一方、反転路５２３から下流側分岐搬送路５２２に向かうシートを搬送案内し、反転路５２３から上流側分岐搬送路５２１へのシート搬送を禁止している。なお、弾性ゲート部材８０の形状及び材質は適宜選定して差し支えない。
【００２２】
更に、本実施の形態においてシート反転装置１００は、図３に示すように、直通搬送路５１３と上流側分岐搬送路５２１との連結部近傍に切り換えゲート６０を設ける一方、反転路５２３とシート戻し搬送路５３との連結部近傍に切り換えゲート６１を設けている。
上記切り換えゲート６０は、搬入ロール５６１の軸方向に伸び且つ基端部が回動可能に片持ち支持された状態で設けられ、図示外のバネにより切り換え駆動されている。
これにより切り換えゲート６０は、搬送されたシートの経路を、図３の実線で示す直通搬送路５１３方向と破線で示す上流側分岐搬送路５２１方向とに切り換えるようになっている。この機構により、切り換えゲート６０が直通搬送路５１３方向にある場合には、上流側搬送路５１１から搬送されるシートは、直通搬送路５１３を経て下流側搬送路５１２に搬送される一方、切り換えゲート６０が上流側分岐搬送路５２１方向にある場合には、上流側搬送路５１１から搬送されるシートは、上流側分岐搬送路５２１を経て反転路５２３に搬送される。
また、本実施の形態において、切り換えゲート６１は、切り換えゲート６０と略同様に構成され、図３の実線で示す反転路５２３方向と破線で示すシート戻し搬送路５３方向とに切り換えるようになっている。
なお、切り換えゲート６０，６１の形状、駆動方法や材質等は適宜選定して差し支えない。
【００２３】
次に、本実施の形態に係るシート反転装置１００の作動について説明する。
作像モジュール３３（図２参照）によって画像形成処理がなされたシートが、例えば画像形成面を上向きにして上流側搬送路５１１より搬送されてくると、搬入ロール５６１は駆動をはじめる。このとき、シートの画像形成面の向きをそのままの状態で排出する場合には、切り換えゲート６０は、図３の破線の向きにセットされる。これにより、搬入ロール５６１によって搬送されるシートは、切り換えゲート６０により直通搬送路５１３に導かれ、更に、搬出ロール５６２によって下流側搬送路５１２へと送り出され、そして機外に設けられた図２の排出トレイ３８上に画像形成面が上向きの状態で排出される。
【００２４】
一方、画像形成面の向きを反転させて排出する場合は、切り換えゲート６０が図３の実線の向きにセットされ、搬入ロール５６１によって搬送されるシートは、切り換えゲート６０により上流側分岐搬送路５２１に導かれる。このとき、搬送されるシート先端部が弾性ゲート部材８０の弾性当接部８１ａに突き当てられることにより、シートは、弾性当接部８１ａの弾性力に抗して、弾性当接部８１ａと反転路壁５２３ａとで挟まれながら移動する。その後シート先端部は、反転路５２３方向に移動し、第一の反転ロール５６３へと導かれる。
更に続けて、第一の反転ロール５６３によりシートは下方に移動し、シート後端部が弾性当接部８１ａの端部を抜けると、弾性当接部８１ａの弾性力により再び弾性当接部８１ａと反転路壁５２３ａは当接し、上流側分岐搬送路５２１と反転路５２３の間は閉塞される。
【００２５】
続いて、シート先端部が図示外のセンサにより検知されると、この検知に基づき、第一の反転ロール５６３が一端停止し、その後、第一の反転ロール５６３は逆方向に駆動モータにより回転をはじめる。
これによりシートは、図３の上方へと反転搬送され、反転路５２３を経て下流側分岐搬送路５２２へ搬送される。
このとき、上流側分岐搬送路５２１と反転路５２３の間は、弾性当接部８１ａによりシートサイズの全幅において閉塞されているため、シートの上流側分岐搬送路５２１への進入が確実に禁止されている状態となっている。
【００２６】
また、本実施の形態において、バネ７３は、可動支持部材７０を付勢しているため、これに伴って弾性ゲート部材８０は、対向する反転路壁５２３ａに対して隙間なく当接した状態になる。従って、弾性ゲート部材８０の劣化や、組み立て誤差等によって生じる弾性ゲート部材８０の弾性当接部８１ａと反転路壁５２３ａの隙間の発生が防止でき、この隙間にシートが引っ掛かる等の不具合を解消することができる。
更に、本実施の形態において、可動支持部材７０に突起部材７４が設けられることにより、この突起部材７４が、上流側分岐搬送路５２１の一部に突き当たって可動支持部材７０の位置規制を行う。この為、上流側分岐搬送路５２１と可動支持部材７０の相対位置が一定になるとともに、反転路壁５２３ａと弾性ゲート部材８０の弾性当接部８１ａとの相対位置も一定に保たれる。
これにより、例えば図５に示すように、弾性ゲート部材８０を有するユニットＵ１が、反転路壁５２３ａを含むユニットＵ２に対して開閉可能である態様において有効である（図中の矢印の方向）。
また、この突起部材７４を設けた構成は、特に、開閉するユニット内の部材に設けることが有効であるが、開閉するユニット内だけでなく、部材の組み付け誤差等を修正するために用いることも有効である。
なお、その他の符号の説明は図３と同様であるため省略する。
【００２７】
次に、本実施の形態において、上記作動に対して、表面の画像形成が終了したシートについて、そのシートを反転させ、再び作像モジュール３３へと再搬送するシート反転装置１００の作動について説明する。
途中の作動までは、画像形成面の向きを反転させて排出する場合と同様であるが、シート後端部が弾性ゲート部材８０における弾性当接部８１ａの端部を抜けた後が前記作動と異なる。
図３において、弾性当接部８１ａの端部を抜けたシートは、第一の反転ロール５６３により下方移動を続け、シート先端部が第二の反転ロール５６４に到達した後も、反転ロール５６３，５６４により下方移動を続ける。このとき、切り換えゲート６１は、図３に示すように反転路５２３方向に位置している。
この後、シート後端部が第二の反転ロール５６４まで到達したことを図示外のセンサにより検知されると、この検知に基づき、第二の反転ロール５６４は一端停止し、これとともに切り換えゲート６１は破線で示すシート戻し搬送路５３方向に切り換わり、その後、第二の反転ロール５６４は、図示外の駆動モータにより逆回転をはじめる。
これにより、第二の反転ロール５６４によって反転されたシートは、切り換えゲート６１によってシート戻し搬送路５３へ導かれ、再び作像モジュール３３へと搬送される。
この後、作像モジュール３３で裏面の画像形成を終えたシートは、シート主搬送路５１を経て上流側搬送路５１１に搬送され、上述したシートの画像形成面の向きをそのままの状態で排出する場合と同様な経路で機外の排出トレイ３８（図２参照）へ排出される。
【００２８】
◎実施の形態２
図６及び図７は、実施の形態２で用いられるシート反転装置１００の要部を示す説明図である。
同図において、弾性ゲート部材８０、シート反転搬送路５２及び搬送部材５６０は、実施の形態１と同様な構成になっているが、可動支持部材９０の構成が実施の形態１と異なる。
すなわち、本実施の形態において、可動支持部材９０は、例えば第一の反転ロール５６３の軸方向に伸び且つ反転路５２３の幅と略同じ長さである略三角柱状の支持ブロック９１を有し、この支持ブロック９１の長手方向両端にスライド部材９２を突設するとともに、このスライド部材９２の側面に沿ってスライドガイド９３を設置することにより、支持ブロック９１とスライド部材９２は一体となって略水平にスライドする状態となっている。
また、スライド部材９２において、反転路壁５２３ａ側と反対側面に、スライド部材９２を付勢するバネ９４を設ける一方、反転路壁５２３ａ側には突起部９５が突設されている。
ここで可動支持部材９０に取り付けられる弾性ゲート部材８０は、支持ブロック９１の長手方向に沿って支持ブロック９１の側面９１ａにおいて取り付けられ、実施の形態１と同様に、反転路壁５２３ａに対して当接するよう寸法設定されている。
なお、図６に示す搬送部材５６０（５６１〜５６３）は、実施の形態１と同様の構成となっている。
【００２９】
本実施の形態において、バネ９４は、スライド部材９２を反転路壁５２３ａ側へ付勢しているため、このスライド部材９２と一体構成となっている支持ブロック９１及び弾性ゲート部材８０は、反転路壁５２３ａ方向に移動する。
これにより弾性ゲート部材８０の弾性当接部８１ａは、反転路壁５２３ａに当接する一方、スライド部材９２に突設されている突起部９５が上流側分岐搬送路５２１の一部に突き当たっているため、スライド部材９２の位置は規制され、反転路壁５２３ａに対する弾性当接部８１ａの相対的な位置が定まる。
なお、本実施の形態における作動は、実施の形態１と略同様である。
【００３０】
【発明の効果】
以上説明したように、本発明に係るシート反転装置によれば、シート反転装置内に設けられた弾性ゲート部材は、可動支持部材によって移動自在になる為、対向するシート反転搬送路壁に対する当接状態を保つことができる。
この為、弾性ゲート部材の劣化や組み立て誤差等によって生じる弾性ゲート部材とシート反転搬送路壁の隙間の発生を防ぎ、搬送されるシートの引っ掛かりを効果的に防止することができる。
【図面の簡単な説明】
【図１】本発明に係るシート反転装置の概要を示す説明図である。
【図２】実施の形態１に係る画像形成装置の全体構成を示す説明図である。
【図３】実施の形態１に係るシート反転装置の構成を示す説明図である。
【図４】実施の形態１に係るシート反転装置を示す斜視図である。
【図５】実施の形態１に係るシート反転装置を有するユニットを開いた状態を示す説明図である。
【図６】実施の形態２に係るシート反転装置の構成を示す説明図である。
【図７】実施の形態２に係るシート反転装置を示す斜視図である。
【符号の説明】
１…シート反転搬送路，１ａ…搬入路，１ｂ…反転路，１ｃ…搬出路，１ｄ…シート反転搬送路壁，２…弾性ゲート部材，３…可動支持部材，４…付勢手段，５…突起部材
【図１】
2004107086.tif 000003
【図２】
2004107086.tif 000004
【図３】
2004107086.tif 000005
【図４】
2004107086.tif 000006
【図５】
2004107086.tif 000007
【図６】
2004107086.tif 000008
【図７】
2004107086.tif 000009